(57)【要約】【課題】装填された記録媒体の固有情報であるメーカー名ごとに最大記録時間を管理することで、エラー発生率の高くなる外周記録を抑え、記録時のエラー発生率を抑える。【解決手段】システムコントローラ１０は、光ディスク１が装填されたとき、当該光ディスク１から固有情報であるメーカー名を読み取り、時間テーブルを参照して当該メーカー名に対応する最大記録時間を取得し、その取得した最大記録時間を装填されている光ディスク１の最大記録可能時間として設定する。また、ユーザの選択操作により、時間テーブルに格納されている個々のメーカー名に対応した最大記録時間のセットアップ画面を表示装置２１に表示し、そのセットアップ画面から、ユーザにより任意のメーカー名に対応する最大記録時間が入力されたとき、時間テーブルの該当するメーカー名の最大記録時間を、入力された最大記録時間に書き替える。【選択図】図１
2008130144.tif 000002
【特許請求の範囲】
【請求項１】
装填された記録媒体に情報を記録する情報記録装置において、
個々の記録媒体に割り振られている固有情報であるメーカー名に対応してそれぞれ最大記録時間が登録されている時間テーブルと、
記録媒体が装填されたとき、当該記録媒体から前記メーカー名を読み取り、前記時間テーブルを参照して前記メーカー名に対応する最大記録時間を取得し、その取得した最大記録時間を装填されている前記記録媒体の最大記録可能時間として設定する制御手段とを備え、
前記制御手段は、
ユーザの選択操作により、前記時間テーブルに格納されている個々のメーカー名に対応した最大記録時間の画面を表示部に表示し、前記画面から任意のメーカー名に対応する最大記録時間が入力されたとき、前記時間テーブルの該当するメーカー名の最大記録時間を、入力された最大記録時間に書き替えるとともに、
装填されている記録媒体への情報の記録後にファイナライズに失敗した場合に、その失敗の情報を前記時間テーブルに格納し、ユーザの選択操作により、前記時間テーブルに格納されている個々のメーカー名に対応した最大記録時間の画面を表示部に表示するとき、前記時間テーブルに記録されている失敗の情報に基づいて前記画面の該当する項目欄の表示色を変更することを特徴とする情報記録装置。
【請求項２】
装填された記録媒体に情報を記録する情報記録装置において、
個々の記録媒体に割り振られている固有情報に対応してそれぞれ最大記録時間が登録されている時間テーブルと、
記録媒体が装填されたとき、当該記録媒体から前記固有情報を読み取り、前記時間テーブルを参照して前記固有情報に対応する最大記録時間を取得し、その取得した最大記録時間を装填されている前記記録媒体の最大記録可能時間として設定する制御手段とを備え、
前記制御手段は、ユーザの選択操作により、前記時間テーブルに格納されている個々の固有情報に対応した最大記録時間の画面を表示部に表示し、前記画面から任意の固有情報に対応する最大記録時間が入力されたとき、前記時間テーブルの該当する固有情報の最大記録時間を、入力された最大記録時間に書き替えることを特徴とする情報記録装置。
【請求項３】
前記制御手段は、装填されている記録媒体への情報の記録に失敗した場合に、その失敗の記録を前記時間テーブルに格納し、ユーザの選択操作により、前記時間テーブルに格納されている個々の固有情報に対応した最大記録時間の画面を表示部に表示するとき、前記時間テーブルに格納されている失敗の記録に基づいて前記画面の該当する項目欄に失敗の情報を合わせて表示することを特徴とする請求項２に記載の情報記録装置。
【請求項４】
前記失敗の情報の表示は、前記画面の該当する項目欄の表示色を変更することである請求項３に記載の情報記録装置。
【請求項５】
前記失敗の情報の表示は、前記画面の該当する項目欄に失敗回数を表示することである請求項３に記載の情報記録装置。
【請求項６】
前記制御手段は、装填されている記録媒体への情報の記録に失敗した場合に、当該記録媒体への記録が設定された最大記録可能時間の近傍まで記録されたか否かを判断し、近傍まで記録されている場合に、その失敗の記録を前記時間テーブルに格納することを特徴とする請求項３に記載の情報記録装置。
【請求項７】
前記制御手段は、記録後のファイナライズに失敗した場合に、装填されている記録媒体への情報の記録に失敗したと判断することを特徴とする請求項３ないし請求項６のいずれかに記載の情報記録装置。
【請求項８】
前記固有情報がメーカーコードを含むことを特徴とする請求項２ないし請求項６のいずれかに記載の情報記録装置。
【発明の詳細な説明】
【技術分野】
【０００１】
本発明は、装填された記録媒体に情報を記録する制御手段を備えた情報記録装置に係り、より詳細には、装填された記録媒体の情報記録時の最大記録可能時間を個別に管理することのできる情報記録装置に関する。
【背景技術】
【０００２】
記録媒体であるＤＶＤ等の光ディスクは、１度だけ書き込める第１のタイプ（Ｒタイプ）と、何度でも消去と書き換えが可能な第２のタイプ（ＲＷタイプ）の２種類のタイプがあるが、特に第１のタイプでは、書き込みに失敗すると、その光ディスクは２度と使用することができない。そのため、書き込み品質を向上させて、より確実に情報が記録できるように工夫する必要がある。
【０００３】
このような工夫の一つとして、例えば特許文献１に記載の光ディスク装置は、ユーザが、段階的な使用率の表示の中から、希望の使用率を選択して設定し、その後、録画動作が終了した時点で、装填された光ディスクについての録画済み情報量の録画可能情報量に対する割合を算出し、算出した実際の使用率と、設定した使用率との比較を行い、実際の使用率が設定使用率を超えている場合に、自動ファイナライズ処理を開始させるようになっている。
【０００４】
また、特許文献２に記載の録画条件設定装置は、録画条件設定画面に、映像デジタル記録機で録画可能な時間を表わす項目「録画最大時間」と、録画する番組の録画時間を表わす項目「録画時間」と、録画する映像のリソースを表わす項目「映像リソース」と、録画する映像の画面のサイズを表わす項目「画面サイズ」と、録画時の１秒あたりのコマ数を表わす項目「コマ数／秒」と、録画時の映像の画質を表わす項目「画質」とを表示し、ユーザが録画時間を入力すると、それに応じた最適なパラメータ値が計算されるようになっている。
【０００５】
また、特許文献３に記載のデジタル動画記録再生装置は、所定量の記録容量を有する記録媒体に対して、使用者が設定した時間にわたる情報の記録を可能とするものであって、記録媒体のリードインエリアから最大記録容量値を読み取り、ユーザによって記録希望時間が設定されると、読み取った最大記録容量値と設定された記録希望時間とに基づいて圧縮率を求め、その求めた圧縮率で情報の記録を行うようになっている。
【特許文献１】特開２００６−６５９４４号公報
【特許文献２】特開２００２−１２５１８５号公報
【特許文献３】特開平１０−１４３９９９号公報
【発明の開示】
【発明が解決しようとする課題】
【０００６】
上記各特許文献１〜３によれば、予め設定されている記録媒体の記録容量を有効活用しつつ、記録エラーの発生等を防止することができる。しかし、これらの技術はいずれも、記録媒体の記録容量が最初から確定していることが前提となっている。すなわち、一般のＤＶＤメディアでは、ラベルで推奨されている４．８Ｇがそのメディアの記録容量となっている。そして、上記各特許文献１〜３記載のものでは、このような予め設定されている記録容量を元にして、その後の処理を開始している。
【０００７】
一方、ＤＶＤ等の記録媒体は、例えばメーカーによっても品質が異なり、また、同じメーカーでも、製造している製品の種類によって品質が異なる場合がある。従って、同じラベルで推奨されている４．８Ｇであっても、実際にエラー無く記録できる実質的な領域は、少なくともメーカーによって異なるものである。
【０００８】
すなわち、記録媒体自体の品質を考慮して、その記録媒体の最大記録可能時間を設定しないと、上記特許文献１〜３のような処理を行っても、記録エラーが発生する可能性がある。
【０００９】
本発明はこのような記録媒体自体の品質差に着目して創案されたもので、その目的は、装填された記録媒体の固有情報であるメーカー名ごとに最大記録時間を管理することで、エラー発生率の高くなる外周記録を抑え、記録時のエラー発生率を極力抑えることのできる情報記録装置を提供することにある。
【課題を解決するための手段】
【００１０】
上記目的を達成するため、本発明の情報記録装置は、装填された記録媒体に情報を記録する情報記録装置において、個々の記録媒体に割り振られている固有情報に対応してそれぞれ最大記録時間が登録されている時間テーブルと、記録媒体が装填されたとき、当該記録媒体から前記固有情報を読み取り、前記時間テーブルを参照して前記固有情報に対応する最大記録時間を取得し、その取得した最大記録時間を装填されている前記記録媒体の最大記録可能時間として設定する制御手段とを備え、前記制御手段は、ユーザの選択操作により、前記時間テーブルに格納されている個々の固有情報に対応した最大記録時間の画面を表示部に表示し、前記画面から任意の固有情報に対応する最大記録時間が入力されたとき、前記時間テーブルの該当する固有情報の最大記録時間を、入力された最大記録時間に書き替えることを特徴としている。
【００１１】
ＤＶＤ等の記録媒体は、メーカーによって品質が異なる。従って、ラベルで推奨されている４．８Ｇであっても、実際にエラー無く記録できる実質的な記録領域は、メーカーによって異なる。従って、時間テーブルには、個々の記録媒体に割り振られている固有情報であるメーカー名に対応してそれぞれ最大記録時間が登録されている。例えば、Ａ社は１時間５０分、Ｂ社は１時間４０分、といった具合である。この最大記録時間は、ユーザがセットアップ画面等から設定するものであり、ユーザは過去の使用経験に基づいて、メーカー名ごとに最大記録時間を設定する。このように、装填された記録媒体ごとに最大記録時間を設定することで、エラー発生率が高くなる外周記録を自動的に抑え、ファイナライズ等の失敗を事前に防止することが可能となる。また、記録媒体に割り振られている固有情報を用いて最適な最大記録可能時間を設定できるので、安価な記録媒体でも最大限の領域を使用することができる。
【００１２】
この場合、前記制御手段は、装填されている記録媒体への情報の記録に失敗した場合（例えば、記録後のファイナライズに失敗した場合）に、その失敗の記録を前記時間テーブルに格納するように構成してもよい。そして、前記制御手段は、ユーザの選択操作により、前記時間テーブルに格納されている個々の固有情報に対応した最大記録時間の画面を表示部に表示するとき、前記時間テーブルに格納されている失敗の記録に基づいて前記画面の該当する項目欄に失敗の情報を合わせて表示するように構成してもよい。このように、失敗の情報も合わせて表示することで、ユーザは、その最大記録時間の設定では今後も記録に失敗する可能性があると判断できるので、より適切な最大記録時間に設定変更することが可能となる。
【００１３】
この場合、前記失敗の情報の表示方法としては、前記画面の該当する項目欄の表示色を変更することが考えられる。例えば、黒色から赤色に表示色を変更する。また、前記失敗の情報の他の表示方法としては、前記画面の該当する項目欄に失敗回数を表示するようにしてもよい。失敗回数は、例えば制御手段にカウンタ機能を内蔵しておき、そのカウンタ機能によって順次カウントするようにすればよい。このように、失敗回数も合わせて表示することで、ユーザは、その最大記録時間の設定では今後も記録に失敗する可能性があると判断できるので、より適切な最大記録時間に設定変更することが可能となる。
【００１４】
また、本発明では、前記制御手段は、装填されている記録媒体への情報の記録に失敗した場合に、当該記録媒体への記録が設定された最大記録可能時間の近傍まで記録されたか否かを判断し、近傍まで記録されている場合に、その失敗の記録を前記時間テーブルに格納するように構成してもよい。
【００１５】
すなわち、記録に失敗するケースは、必ずしも外周記録領域の品質が悪い場合にだけ起こるものではなく、例えば装置周辺の動作環境や記録媒体上にゴミや埃等が付着していた場合等によっても起こり得る。そして、このような原因で記録エラーが発生した場合には、最大記録時間を変更する必要は全くない。そのため、本発明では、装填されている記録媒体への情報の記録に失敗した場合に、当該記録媒体への記録が設定された最大記録可能時間の近傍まで記録されたか否かを判断することとしている。そして、最大記録可能時間の近傍まで記録されていて記録エラーが発生したのであれば、外周記録領域の品質低下が原因であると推察できるので、この場合にのみ失敗の記録を時間テーブルに格納するようにしている。これにより、記録媒体の最大記録時間を不必要に短く設定してしまって、使用率を不必要に低下させてしまう、といった不具合の発生を防止することができる。
【発明の効果】
【００１６】
本発明の情報記録装置によれば、ユーザの選択操作により、時間テーブルに格納されている個々の固有情報に対応した最大記録時間の画面を表示部に表示し、当該画面から任意の固有情報に対応する最大記録時間がユーザによって入力されたとき、時間テーブルの該当する固有情報の最大記録時間を、入力された最大記録時間に書き替える構成としたので、エラー発生率が高くなる外周記録を抑え、ファイナライズ等の失敗を事前に防止することができる。固有情報ごとにユーザ自身が設定することにより、ユーザの過去の使用経験に基づいて、固有情報ごとの最適な最大記録時間を設定することができる。また、記録媒体に割り振られている固有情報を用いて最適な最大記録可能時間を設定できるので、安価な記録媒体でも最大限の領域を使用しつつ、記録エラーの発生を極力抑えることが可能となる。これにより、１度だけ書き込み可能なタイプの記録媒体では不良ディスクの発生を減らすことができる。
【００１７】
また、本発明の情報記録装置によれば、時間テーブルに格納されている個々の固有情報に対応した最大記録時間の画面を表示部に表示するとき、時間テーブルに格納されている失敗の記録に基づいて画面の該当する項目欄に失敗の情報も合わせて表示する構成としたので、ユーザは、その表示内容から、現在の最大記録時間の設定では今後も記録に失敗する可能性があると判断できるので、より適切な最大記録時間に設定変更することができる。
【発明を実施するための最良の形態】
【００１８】
以下、本発明の実施の形態について、図面を参照して説明する。
【００１９】
図１は、本発明の情報記録装置であるＤＶＤレコーダのシステム構成を示している。
【００２０】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００２１】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、デジタルのテレビジョン放送信号を受信するチューナ回路（ＢＳチューナ，ＣＳチューナ等）１６が接続されている。
【００２２】
システムコントローラ１０には、光ディスク１のパラメータやレーザパワーのパラメータを初め、当該光ディスク１に割り振られたメーカー名等の固有情報を格納しておくためのＥＥＰＲＯＭ１１が双方向に接続されているとともに、リモコン送信機１８からの赤外線信号を受信する受信部１４と装置本体前面に設けられたキー入力部１５とが接続されている。また、システムコントローラ１０には、装置本体前面に設けられたＬＣＤ等からなる表示パネル１３が接続されている。
【００２３】
また、ＥＥＰＲＯＭ１１には、図２に示す時間テーブルが格納されている。この時間テーブルには、個々の光ディスク１に割り振られている固有情報の中のメーカー名のコードと、そのメーカー名に対応した最適な最大記録時間とが登録されるようになっている。この例では、標準記録であるＳＰモードでの最大記録時間が例示されている。すなわち、通常は２時間のところ、Ａ社の光ディスク１の最大記録時間は１時間５０分、Ｂ社の光ディスク１の最大記録時間は１時間４０分、・・・、Ｅ社の光ディスク１の最大記録時間は１時間２０分、その他の光ディスク１の最大記録時間は１時間５５分となっている。この最大記録時間は、後述するように、ユーザによって設定されるものである。
【００２４】
デジタル信号処理回路７は、光ピックアップ３によって読み込まれたデータを処理する機能を有しており、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１６によって受信されたデジタルのテレビジョン放送信号を、光ディスク１に書き込むためのデータ圧縮等の処理を行う。
【００２５】
システムコントローラ１０は、図示は省略しているがＣＰＵ、ＲＯＭ、ＲＡＭ等から構成されており、ファイナライズキーのキー操作により、装■されている光ディスク１のファイナライズ処理を実行する。この処理を実行するためのプログラムはＲＯＭに予め格納されており、システムコントローラ１０は、ファイナライズ処理の実行時にはＲＯＭから読み込んだプログラムをＲＡＭ上に展開して処理を実行する。
【００２６】
光ディスク１であるＤＶＤディスクには、データを１度だけ書き込めるＲタイプと、何度でも消去と書き換えが可能なＲＷタイプとがある。従って、システムコントローラ１０は、光ディスク１のタイプを判別する判別機能を備えており、装■されている光ディスク１のタイプに応じてファイナライズキーの操作によるファイナライズ処理の実行を制御するようになっている。
【００２７】
また、システムコントローラ１０は、任意の光ディスク１が装填されたとき、その光ディスク１から固有情報を読み取ってＥＥＰＲＯＭ１１に格納するとともに、その固有情報の中のメーカー名に基づき、時間テーブルを参照してそのメーカー名に対応する最大記録時間を取得し、その取得した最大記録時間を、装填されている光ディスク１の最大記録可能時間として設定するようになっている。
【００２８】
また、システムコントローラ１０は、ユーザの選択操作により、時間テーブルに格納されている個々のメーカー名に対応した最大記録時間のセットアップ画面を表示装置２１に表示し、そのセットアップ画面に、任意のメーカー名に対応する最大記録時間が入力されたとき、時間テーブルの該当するメーカー名の最大記録時間を、入力された最大記録時間に書き替える処理を行うようになっている。
【００２９】
ここで、任意の光ディスク１を装填して記録を行うときの、上記時間テーブルを用いた光ディスク１ごとの最大記録可能時間の設定処理について、図３に示すフローチャートを参照して説明する。
【００３０】
任意の光ディスク１が装填されると、システムコントローラ１０は、装填された光ディスク１が記録できるメディアであるか否かを確認する（ステップＳ１）。その結果、記録できないメディア（例えば、ファイナライズを終了したＤＶＤ−Ｒ等）であった場合（ステップＳ１でＮｏと判断された場合）には、表示装置２１の画面もしくは表示パネル１３にエラーメッセージを表示する（ステップＳ２）。
【００３１】
一方、記録できるメディアであった場合（ステップＳ１でＹｅｓと判断された場合）には、装填時に光ディスク１から予め読み込んでＥＥＰＲＯＭ１１に格納しておいた固有情報から、メーカー名のコードを取得し、このメーカー名のコードに基づき、時間テーブルを参照してそのメーカー名に対応する最大記録時間を取得する（ステップＳ３）。そして、その取得した最大記録時間を、装填されている光ディスク１の最大記録可能時間として内部に設定する。すなわち、取得した最大記録時間分の記録が可能となるように、最終書き込みアドレスを設定する（ステップＳ４）。例えば、装填されている光ディスク１のメーカー名がＡ社であった場合、最大記録時間は１時間５０分であるので、システムコントローラ１０は、この１時間５０分に対応した最終書き込みアドレスに設定する。
【００３２】
この後、記録を開始すると、システムコントローラ１０は、設定した最終書き込みアドレスまで情報の記録を行って、記録動作を終了する。
【００３３】
このように、装填された光ディスク１ごとに最大記録可能時間を設定することで、エラー発生率が高くなる外周記録を抑えることができる。これにより、記録エラーの発生を事前に防止することができ、ファイナライズ等の失敗も事前に防止することが可能となる。また、光ディスク１に割り振られている固有情報を用いて最適な最大記録可能時間を設定できるので、安価な光ディスク１でも安定して記録できる最大限の領域を使用することができる。
【００３４】
次に、上記構成の情報記録装置において、図２に示す時間テーブルのメーカー名ごとの最大記録時間を、ユーザによって設定もしくは設定変更する場合の実施例について、以下に具体的に説明する。
【実施例１】
【００３５】
本実施例１は、時間テーブルのメーカー名ごとの最大記録時間を、ユーザによって設定もしくは設定変更する場合の基本的な処理の実施例である。以下、図４に示す表示画面例を参照して、実施例１の処理動作を説明する。
【００３６】
ユーザが、例えばリモコン１８の図示しないメニューキーを操作し、表示されたメニュー画面の中から最大記録時間の設定を選択すると、表示装置２１には、図４に示す最大記録時間のセットアップ画面が表示される。ただし、この例では、標準記録であるＳＰモードでの最大記録時間が例示されている。
【００３７】
このセットアップ画面には、個々の光ディスク１に割り振られている固有情報の中のメーカー名と、そのメーカー名に対応した最大記録時間とが表示されている。ユーザは、このセットアップ画面から、各メーカー名の最大記録時間の設定を行うことになる。この場合、ユーザが何も設定していない初期状態では、図４（ａ）に示すように、各メーカー名の最大記録時間はデフォルト値である２時間（２：００：００）が設定されている。
【００３８】
また、このセットアップ画面には、最大記録時間の右横にカーソル５１が表示されている。このカーソル５１は、リモコン１８の図示しない上下キーを操作することにより、上下に移動可能となっており、このカーソル５１の止まっている欄の最大記録時間が入力可能となる。従って、ユーザは、過去の使用経験等を踏まえ、例えばメーカー名Ａの最大記録時間を設定若しくは設定変更したい場合には、カーソル５１をメーカー名Ａの位置に移動し、その状態で最大記録時間の項目にユーザの所望する時間を入力すればよい。図４（ｂ）は、このようにしてユーザが各メーカー名に対して所望する最大記録時間を入力した結果を示している。すなわち、この例では、Ａ社の光ディスク１の最大記録時間が１時間５０分、Ｂ社の光ディスク１の最大記録時間が１時間４０分、・・・、Ｅ社の光ディスク１の最大記録時間が１時間２０分、その他の光ディスク１の最大記録時間が１時間５５分に設定されている。
【００３９】
なお、最大記録時間の設定若しくは設定変更を行わない場合には、このセットアップ画面の右下に表示されている「戻る」ボタン５２を操作すると、元のメニュー画面に戻るようになっている。
【実施例２】
【００４０】
本実施例２は、時間テーブルのメーカー名ごとの最大記録時間を、ユーザによって設定もしくは設定変更する場合に、光ディスク１への情報の記録の失敗の有無により、セットアップ画面の表示色を変更する実施例である。以下、図５に示す時間テーブルの構成例、及び図６に示す表示画面例を参照して、実施例２の処理動作を説明する。
【００４１】
本実施例２では、システムコントローラ１０は、装填されている光ディスク１への情報の記録に失敗した場合（例えば、記録後のファイナライズに失敗した場合）に、その失敗の記録を時間テーブルに格納するようになっている。
【００４２】
図５は、本実施例２における時間テーブルの構成例を示している。すなわち、時間テーブルには、「メーカー名」、「最大記録時間」の各項目の横に、「失敗の有無」の項目が設けられており、過去の記録動作において記録に失敗した場合には、該当する光ディスク１のメーカー名の「失敗の有無」の項目に、「有」が格納されるようになっている。図５では、メーカー名Ｂの光ディスク１が過去において記録に失敗しており、他のメーカー名の光ディスク１については、過去において記録に失敗していない場合を例示している。
【００４３】
上記のような時間テーブルがＥＥＰＲＯＭ１１に格納されている場合において、ユーザが、例えばリモコン１８の図示しないメニューキーを操作し、表示されたメニュー画面の中から最大記録時間の設定を選択すると、表示装置２１には、図６（ａ）に示す最大記録時間のセットアップ画面が表示される。ただし、この例では、標準記録であるＳＰモードでの最大記録時間が例示されている。
【００４４】
このセットアップ画面には、個々の光ディスク１に割り振られている固有情報の中のメーカー名と、そのメーカー名に対応した最大記録時間とが表示されているが、本実施例２では、過去に記録に失敗しているメーカー名Ｂの欄６１の表示色が他のメーカー名の欄の表示色と異なっている。例えば、メーカー名Ｂの欄６１を除く他の欄の表示色を黒色とし、メーカー名Ｂの欄６１の表示色のみ、黒色から赤色に変更する。なお、図６（ａ）では、表示色の異なっている部分（メーカー名Ｂの欄６１）に破線を付している。このように、失敗の情報も合わせて表示（この場合は表示色を変更して表示）することで、ユーザは、メーカー名Ｂの光ディスク１については、現在の最大記録時間の設定では今後も記録に失敗する可能性があると判断できるので、より適切な最大記録時間に設定変更することが可能となる。なお、このように表示色の変更による表示に加え、図６（ｂ）に示すように、「失敗の有無」の項目も合わせて表示してもよい。
【００４５】
ユーザは、このような表示形態のセットアップ画面から、各メーカー名の最大記録時間の設定若しくは設定変更を行うことになる。この場合には、リモコン１８の図示しない上下キーを操作することにより、カーソル５１をメーカー名Ｂの欄６１の位置に移動し、その状態でメーカー名Ｂの最大記録時間の項目にユーザの所望する時間を入力すればよい。例えば、現在の設定が１時間４０分となっているので、これを例えば５分短くして、１時間３５分に設定する。そして、このセットアップ画面の右下に表示されている「戻る」ボタン５２を操作すると、元のメニュー画面に戻るとともに、システムコントローラ１０は、時間テーブルのメーカー名Ｂの最大記録時間を、それまでの１時間４０分から１時間３５分に書き換え、かつ、「失敗の有無」の項目を「無」に設定する。これにより、以後、Ｂ社の光ディスクが装填されて記録が開始された場合には、システムコントローラ１０は、この１時間３５分が最大記録可能時間となるように最終書き込みアドレスを設定して、記録を行うことになる。
【実施例３】
【００４６】
本実施例３は、時間テーブルのメーカー名ごとの最大記録時間を、ユーザによって設定もしくは設定変更する場合に、光ディスク１への情報の記録に失敗した場合の失敗回数をセットアップ画面に合わせて表示する実施例である。以下、図７に示す時間テーブルの構成例、及び図８に示す表示画面例を参照して、実施例３の処理動作を説明する。
【００４７】
本実施例３では、システムコントローラ１０は、装填されている光ディスク１への情報の記録に失敗した場合（例えば、記録後のファイナライズに失敗した場合）に、その失敗の回数をカウントするカウント機能を備えており、そのカウントした失敗回数を時間テーブルに格納するようになっている。
【００４８】
図７は、本実施例３における時間テーブルの構成例を示している。すなわち、時間テーブルには、「メーカー名」、「最大記録時間」の各項目の横に、「失敗回数」の項目が設けられており、過去の記録動作において記録に失敗した場合には、該当する光ディスク１のメーカー名の「失敗回数」の項目に、過去の失敗回数が格納されるようになっている。図７では、メーカー名Ａとその他の光ディスク１がそれぞれ、過去において１回記録に失敗しており、メーカー名Ｄの光ディスク１が、過去において２回記録に失敗している場合を例示している。
【００４９】
上記のような時間テーブルがＥＥＰＲＯＭ１１に格納されている場合において、ユーザが、例えばリモコン１８の図示しないメニューキーを操作し、表示されたメニュー画面の中から最大記録時間の設定を選択すると、表示装置２１には、図８に示す最大記録時間のセットアップ画面が表示される。ただし、この例では、標準記録であるＳＰモードでの最大記録時間が例示されている。
【００５０】
このセットアップ画面には、個々の光ディスク１に割り振られている固有情報の中のメーカー名と、そのメーカー名に対応した最大記録時間と失敗回数とが表示されている。このように、失敗回数も合わせて表示することで、ユーザは、メーカー名Ｄの光ディスク１については、現在の最大記録時間の設定では今後も記録に失敗する可能性があると判断できるので、より適切な最大記録時間に設定変更することが可能となる。
【００５１】
ユーザは、このような表示形態のセットアップ画面から、各メーカー名の最大記録時間の設定若しくは設定変更を行うことになる。この場合には、リモコン１８の図示しない上下キーを操作することにより、カーソル５１をメーカー名Ｄの欄６３の位置に移動し、その状態でメーカー名Ｄの最大記録時間の項目にユーザの所望する時間を入力すればよい。例えば、現在の設定が１時間４５分となっているので、これを例えば１０分短くして、１時間３５分に設定する。そして、このセットアップ画面の右下に表示されている「戻る」ボタン５２を操作すると、元のメニュー画面に戻るとともに、システムコントローラ１０は、時間テーブルのメーカー名Ｄの最大記録時間を、それまでの１時間４５分から１時間３５分に書き換え、かつ、失敗回数をクリア（０回に設定）する。これにより、以後、Ｄ社の光ディスクが装填されて記録が開始された場合には、システムコントローラ１０は、この１時間３５分が最大記録可能時間となるように最終書き込みアドレスを設定して、記録を行うことになる。
【実施例４】
【００５２】
本実施例４は、時間テーブルのメーカー名ごとの最大記録時間を、ユーザによって設定もしくは設定変更する場合に、光ディスク１への情報の記録に失敗した場合の失敗回数をセットアップ画面に合わせて表示するとともに、失敗回数に応じてその表示色を変更する実施例である。すなわち、上記実施例３に上記実施例２の要件を加えた実施例である。以下、上記実施例３で用いた図７に示す時間テーブルの構成例、及び図８に示す表示画面例を用いて、実施例４の処理動作を説明する。
【００５３】
本実施例４では、システムコントローラ１０は、上記実施例３と同様、装填されている光ディスク１への情報の記録に失敗した場合（例えば、記録後のファイナライズに失敗した場合）に、その失敗の回数をカウントするカウント機能を備えており、そのカウントした失敗回数を時間テーブルに格納するようになっている。
【００５４】
そして、図７に示すような時間テーブルがＥＥＰＲＯＭ１１に格納されている場合において、ユーザが、例えばリモコン１８の図示しないメニューキーを操作し、表示されたメニュー画面の中から最大記録時間の設定を選択すると、表示装置２１には、図８に示す最大記録時間のセットアップ画面が表示される。
【００５５】
このセットアップ画面には、個々の光ディスク１に割り振られている固有情報の中のメーカー名と、そのメーカー名に対応した最大記録時間及び失敗回数とが表示されているが、本実施例４では、失敗回数に応じてメーカー名の欄の表示色が、他のメーカー名の欄の表示色と異なっている。例えば、失敗回数１回のメーカー名Ａの欄６２の表示色を黄色、失敗回数２回のメーカー名Ｄの欄６３の表示色を赤色で表示する。すなわち、本実施例４では、失敗回数に応じて表示色を２段階に分けており、失敗回数１回では注意的な意味合いの黄色、２回以上では警告的な意味合いの赤色としている。ただし、失敗回数と表示色との組み合わせはこれに限定されるものではない。
【００５６】
このように、失敗回数を表示色も含めて表示することで、ユーザは、例えばメーカー名Ｄの光ディスク１については、現在の最大記録時間の設定では今後も記録に失敗する可能性があると判断できるので、より適切な最大記録時間に設定変更することが可能となる。
【００５７】
ユーザは、このような表示形態のセットアップ画面から、各メーカー名の最大記録時間の設定若しくは設定変更を行うことになる。この場合には、リモコン１８の図示しない上下キーを操作することにより、カーソル５１をメーカー名Ｄの欄６３の位置に移動し、その状態でメーカー名Ｄの最大記録時間の項目にユーザの所望する時間を入力すればよい。例えば、現在の設定が１時間４５分となっているので、これを例えば１０分短くして、１時間３５分に設定する。そして、このセットアップ画面の右下に表示されている「戻る」ボタン５２を操作すると、元のメニュー画面に戻るとともに、システムコントローラ１０は、時間テーブルのメーカー名Ｄの最大記録時間を、それまでの１時間４５分から１時間３５分に書き換え、かつ、失敗回数をクリア（０回に設定）する。これにより、以後、Ｄ社の光ディスクが装填されて記録が開始された場合には、システムコントローラ１０は、この１時間３５分が最大記録可能時間となるように最終書き込みアドレスを設定して、記録を行うことになる。
【実施例５】
【００５８】
上記実施例２ないし実施例４では、装填されている光ディスク１への情報の記録に失敗した場合（例えば、記録後のファイナライズに失敗した場合）に、その失敗の記録を時間テーブルに格納するようになっている。この場合、記録に失敗するケースは、必ずしも外周記録領域の品質が悪い場合にだけ起こるものではなく、例えば装置周辺の動作環境や記録媒体上にゴミや埃等が付着していた場合等によっても起こり得る。そして、このような原因で記録エラーが発生した場合には、最大記録時間を変更する必要は全くない。
【００５９】
そこで、本実施例５では、装填されている光ディスク１への情報の記録に失敗した場合に、当該光ディスク１への記録が設定された最大記録可能時間の近傍まで記録されたか否かを判断することとしている。そして、最大記録可能時間の近傍まで記録されていて記録エラーが発生したのであれば、外周記録領域の品質低下が原因であると推察できるので、この場合にのみ失敗の記録を時間テーブルに格納するようにしている。これにより、光ディスク１の最大記録時間を不必要に短く設定してしまって、使用率を不必要に低下させてしまう、といった不具合の発生を防止することができる。
【００６０】
なお、上記実施形態では、時間テーブルにメーカー名とこれに対応する最大記録時間とが格納されているが、固有情報に当該メーカーで製造される製品の種類情報（例えば、品質種別に関わる情報等）が含まれている場合には、この種類情報ごとに対応する最大記録時間を格納するようにしてもよい。例えば、Ａ社が製品種類としてａ１とａ２の２種類を製造している場合には、メーカー名Ａのａ１の光ディスクの最大記録時間が１時間５０分、メーカー名Ａのａ２の光ディスクの最大記録時間が１時間４５分といった具合に、メーカー名を含む製品の種類ごとに最大記録時間を設定してもよい。このように設定することで、光ディスクごとにより最適な最大記録時間を設定することが可能となる。
【図面の簡単な説明】
【００６１】
【図１】本発明の情報記録装置をＤＶＤレコーダに適用した場合のシステム構成図である。
【図２】実施例１の時間テーブルの一例を示す説明図である。
【図３】システムコントローラによる光ディスクごとの最大記録可能時間の設定処理を示すフローチャートである。
【図４】実施例１の表示画面例を示す説明図である。
【図５】実施例２の時間テーブルの一例を示す説明図である。
【図６】実施例２の表示画面例を示す説明図である。
【図７】実施例３の時間テーブルの一例を示す説明図である。
【図８】実施例３の表示画面例を示す説明図である。
【符号の説明】
【００６２】
１  光ディスク
２  スピンドルモータ
３  光ピックアップ
４  フィードモータ
５  ＲＦアンプ
６  ＤＲＡＭ（メモリバッファ）
７  デジタル信号処理回路
８  レーザドライバ
９  サーボ処理回路
１０  システムコントローラ
１１  ＥＥＰＲＯＭ（メモリ）
１２  Ｄ／Ａ変換回路
１３  表示パネル
１４  受信部
１５  キー入力部
１６  チューナ回路
１８  リモコン送信機
２１  表示装置
【図１】
2008130144.tif 000003
【図２】
2008130144.tif 000004
【図３】
2008130144.tif 000005
【図４】
2008130144.tif 000006
【図５】
2008130144.tif 000007
【図６】
2008130144.tif 000008
【図７】
2008130144.tif 000009
【図８】
2008130144.tif 000010